(57)【要約】【課題】  引掛シーリングにアダプタ等を取り付ける際の、位置合わせを容易にすることが可能な取付補助部材を提供する。【解決手段】  本発明の引掛シーリングに取り付ける器具の取付補助部材１は、係合部２０、ガイド部３０、及び、方向ガイド部４０を有する。係合部２０は、引掛シーリング１００と係合可能である。ガイド部３０は、引掛シーリング１００への器具２００の取付位置を案内する指標を有する。方向ガイド部４０は、引掛シーリング１００に取り付けるための器具２００の取付方向を案内する指標を有する。【選択図】図１
2020061809.tif 000002
【特許請求の範囲】
【請求項１】
配線器具に器具を取り付ける際に補助する取付補助部材であって、
前記配線器具を収容可能な開口部を有する係合部と、
前記開口部を囲むとともに前記配線器具の前面部に対向する前記器具の上面部と略同一形状であって、前記器具の取付位置を案内する指標を有するガイド部と、
前記配線器具に取り付けるための前記器具の取付方向を案内する指標を有する方向ガイド部と、
を備えたことを特徴とする取付補助部材。
【請求項２】
前記係合部、前記ガイド部及び前記方向ガイド部が同一の平面部に設けられていることを特徴とする請求項１記載の取付補助部材。
【請求項３】
さらに前記配線器具の前面部が、前記係合部、前記ガイド部及び前記方向ガイド部が設けられた前記平面部と面一となることを特徴とする請求項２記載の取付補助部材。
【請求項４】
前記取付補助部材の外周部の一部には前記開口部に連通する切欠きが設けられ、前記外周部の他部には前記取付補助部材を取外すための把持部が設けられていることを特徴とする請求項１から３のいずれか一項に記載の取付補助部材。
【請求項５】
前記ガイド部及び前記方向ガイド部に設けられた指標が平面上のマークであることを特徴とする請求項１から４のいずれか一項に記載の取付補助部材。
【請求項６】
前記ガイド部に設けられた指標が少なくとも前記器具の上面部の外周部の一部を包囲する凸状構造であることを特徴とする請求項１から５のいずれか一項に記載の取付補助部材。
【請求項７】
前記方向ガイド部に設けられた指標が前記切欠きと同一方向であることを特徴とする請求項４から６のいずれか一項に記載の取付補助部材。
【請求項８】
前記方向ガイド部に設けられた指標が前記切欠きを兼ねることを特徴とする請求項７記載の取付補助部材。
【請求項９】
請求項１から８のいずれか一項に記載の取付補助部材を構成するためのシートであって、
複数のパネルを含む１枚のシート材から形成され、
前記複数のパネルは、それぞれ、開口部を有し、
前記開口部は、前記シート材を折曲げることにより、前記係合部を形成可能であり、
前記複数のパネルのうちの少なくとも１つは、前記ガイド部を有し、
前記複数のパネルのうちの少なくとも１つは、前記方向ガイド部を有する、
ことを特徴とする配線器具に取り付ける器具の取付補助部材用シート。
【請求項１０】
請求項１から９のいずれか一項に記載の取付補助部材を構成するための部品を含むことを特徴とする取付補助部材セット。
【発明の詳細な説明】
【技術分野】
【０００１】
本発明は、取付補助部材、それを構成するためのシート、及びそれらを用いた取付補助部材セットに関し、詳しくは、照明器具取付用のアダプタ、照明器具等を配線器具に取り付ける際に補助する取付補助部材、それを構成するためのシート、及びそれらを用いた取付補助部材セットに関する。
【背景技術】
【０００２】
照明器具の取付けにおいて、天井等に設置された引掛シーリング等の配線器具に、照明器具取付用のアダプタを取り付け、このアダプタに、照明器具本体を接続する方法が知られている（特許文献１）。
【０００３】
一方、取り付ける際に照明装置の影で引掛刃及び引掛刃嵌入孔が見えないような場合に照明装置の取付けを容易にするための取付補助シートが提案されている（特許文献２）。特許文献２の取付補助シートは、被取付部材の一対の印加仮刃嵌入孔に一対の引掛刃を挿入させて照明装置を被取付部材へ取り付ける際に補助する取付補助シートであって、被取付部材が設置された設置面に取り付け可能な本体を備え、本体は補助するためのマークを有し、マークは、一対の引掛刃嵌入孔への挿入位置を結ぶ仮想線上であって、被取付部材に取り付けられた状態の照明装置を挟んだ外側に位置する構成である。
【先行技術文献】
【特許文献】
【０００４】
【特許文献１】特開平５−２０９１２号公報
【０００５】
【特許文献２】特開２０１７−４５５８７号公報
【発明の概要】
【発明が解決しようとする課題】
【０００６】
しかし、特許文献１及び２の取付器具は、配線器具にアダプタや照明器具を取り付ける際、位置合わせがしにくく、取り付けにくいという問題があった。このような問題は、配線器具に、直接、照明器具を取り付ける際も、同様である。
【０００７】
そこで、本発明は、配線器具にアダプタ等を取り付ける際の、位置合わせを容易にすることが可能な取付補助部材を提供することを目的とする。
【課題を解決するための手段】
【０００８】
前記目的を達成するために、本発明の取付補助部材は、配線器具に器具を取り付ける際に補助する取付補助部材であって、前記配線器具を収容可能な開口部を有する係合部と、前記開口部を囲むとともに前記配線器具の前面部に対向する前記器具の上面部と略同一形状であって、前記器具の取付位置を案内する指標を有するガイド部と、前記配線器具に取り付けるための前記器具の取付方向を案内する指標を有する方向ガイド部と、を備えたことを特徴とする。
【発明の効果】
【０００９】
本発明によれば、配線器具にアダプタ等を取り付ける際の、位置合わせを容易にすることが可能な取付補助部材を提供できる。
【図面の簡単な説明】
【００１０】
【図１】（Ａ）は、本発明の取付補助部材の構成の一例（実施形態１）を示す斜視図であり、（Ｂ）は、本発明の取付補助部材を、角型の引掛シーリング１００に取り付けた状態を示す斜視図である。
【図２】（Ａ）及び（Ｂ）は、それぞれ、本発明の取付補助部材の構成の一例（実施形態１）を示す斜視図である。
【図３】本発明の取付補助部材の構成の一例（実施形態１）を示す斜視図である。
【図４】本発明の取付補助部材の構成の一例（実施形態１）を示す斜視図である。
【図５】（Ａ）、（Ｂ）及び（Ｃ）は、それぞれ、本発明の取付補助部材の構成の別の例（実施形態２）を示す斜視図である。
【図６】本発明の取付補助部材の構成のさらに別の例（実施形態３）を示す斜視図である。
【図７】使用者への注意書の一例である。
【発明を実施するための形態】
【００１１】
本発明の実施形態について、図１から図７を用いて説明する。なお、本発明は、下記の実施形態によって何ら限定及び制限されない。なお、図１から図７において、同一部分には、同一符号を付している。各実施形態における説明は、それぞれ、互いを援用できる。
【００１２】
本発明において、配線器具である「引掛シーリング」は、「引掛シーリングローゼット」ともいい、照明器具への電力供給、及び前記照明器具の重量を支える支持器具の役割を兼ねる。引掛シーリングは、日本国においては、ＪＩＳ（Japanese  Industrial  Standards）規格によって、「ＪＩＳ  Ｃ８３１０」として規定されている。引掛シーリングは、例えば、角型引掛シーリング、及び丸型引掛シーリング等があげられる。なお、後述する実施形態において、前記配線器具が、角型引掛シーリングである場合を例にあげて説明するが、本発明は、これには制限されない。前記配線器具の設置面は、例えば、天井、壁、及び照明用レール等があげられる。
【００１３】
本発明において、前記配線器具に取り付ける器具は、特に制限されず、例えば、照明器具取付用のアダプタ、及び照明器具があげられる。
【００１４】
（実施形態１）
図１（Ａ）は、本発明の取付補助部材の構成の一例を示す斜視図で、図１（Ｂ）は、本発明の取付補助部材を、角型の引掛シーリング１００に取り付けた状態を示す斜視図である。図１（Ａ）に示すように、取付補助部材１は、開口部を有する係合部２０と、ガイド部３０と、方向ガイド部４０とを有する。そして、係合部２０、ガイド部３０及び方向ガイド部４０は、同一の平面部５０に設けられている。ただし、本発明は、これには制限されない。また、図１（Ｂ）に示すように、取付補助部材１は、係合部２０において引掛シーリング１００と係合し、これにより、引掛シーリング１００の周囲に配置できる。
【００１５】
取付補助部材１は、後述する係合部２０と、ガイド部３０と、方向ガイド部４０を有すればよく、その形状は、特に制限されない。ここで、取付補助部材１の形成材料としては、例えば、ダンボール、厚紙、紙等のシート材、ウレタン及びメラミン等の樹脂、並びにポリカーボネート及びＰＢＴ等の成型品、アルミ板やバネ鋼板等の金属材料等があげられる。前記材料が前記金属材料の場合、例えば、前記金属材料を折り曲げることにより、取付補助部材１を形成できる。前記材料としては、例えば、重さ、価格、及び、後述するように、係合部２０の圧縮により取付補助部材１を引掛シーリング１００に固着可能にする等の観点から、ダンボール、及びメラミン等が好ましい。また、後述するように、取付補助部材１が、切欠き６０を有する場合、引掛シーリング１００への器具２００の取付け後、取付補助部材１を取外すことができる。この場合、例えば、器具２００の使用時に発する熱等の影響を考慮する必要がない。このため、取付補助部材１の形成材料として、可燃性の材料を使用できる。一方、前記取付け後、取付補助部材１を取外さない場合、前記形成材料は、難燃性の材料であることが好ましい。
【００１６】
係合部２０は、引掛シーリング１００を収容可能な開口部を有し、これにより、引掛シーリング１００と係合可能であればよく、その形状等は、特に制限されない。係合部２０は、例えば、図１（Ａ）及び（Ｂ）に示すように、引掛シーリング１００の形状の全部に対応する形状を有してもよいし、後述するように、引掛シーリング１００の形状の一部に対応する形状を有してもよい。
【００１７】
係合部２０は、例えば、係合部２０と引掛シーリング１００とが係合した状態において、取付補助部材１の平面方向（引掛シーリング１００の前記設置面に平行な方向）における位置及び回転方向が、一意に定まるように構成されることが好ましい。具体的には、例えば、角型や耳付き形状の引掛シーリング１００の前記形状に対応する形状を有してもよいし、視覚的な表示により、引掛シーリング１００との係合部位を表示してもよい。前記係合部位の表示は、例えば、引掛シーリング１００の形状の表示でもよいし、引掛シーリング１００の構造の表示でもよい。
【００１８】
図１（Ｂ）に示すように、取付補助部材１を引掛シーリング１００の設置面に設置した場合における、係合部２０の前記設置面からの高さは、特に制限されず、例えば、取付補助部材１の形成材料等により適宜設定できる。前記高さは、例えば、引掛シーリング１００の前記設置面からの高さと等しい高さとすることができる。すなわち、本実施形態において、引掛シーリング１００の前面部が、係合部２０、ガイド部３０及び方向ガイド部４０が設けられた平面部５０と面一となる。前記等しい高さ（面一）は、完全に等しくなくてもよく、例えば、取付補助部材１の材質が柔らかいものである場合等において、器具２００を取り付けることによる取付補助部材１の圧縮により、等しい高さとなってもよい。ただし、これには制限されず、係合部２０の前記高さは、例えば、引掛シーリング１００の前記高さよりも所定の範囲だけ低くてもよい。前記所定の範囲は、例えば、引掛シーリング１００に取り付ける器具２００の給電爪の長さよりも短い範囲である。これにより、器具２００の取付けの際、前記給電爪が、引掛シーリング１００の外側に引っ掛かりにくくすることができる。
【００１９】
取付補助部材１は、例えば、引掛シーリング１００に固着可能であるように形成される。これにより、前記設置面が天井等である場合も、取付け後における取付補助部材１の落下を防止できる。係合部２０を前記固着可能であるように形成する方法は、特に制限されず、例えば、取付補助部材１が、引掛シーリング１００に係合するための係合片を有してもよいし、粘着剤等の層を設けてもよい。係合部２０は、例えば、その圧縮により、前記固着可能であるように形成されてもよい。この場合、係合部２０の形状は、例えば、取付補助部材１の形成材料等により適宜設定でき、具体的には、例えば、引掛シーリング１００の形状と同じ形状、及び、取付補助部材１の材質が柔らかいものである場合等において、引掛シーリング１００の形状よりも所定の大きさだけ径を小さくした形状等に設定できる。また、この場合、係合部２０の形成材料は、例えば、前述の通りである。係合部２０が、その圧縮により、前記固着可能であることにより、例えば、引掛シーリング１００に取付補助部材１を取付け及び取外しやすい。
【００２０】
ガイド部３０は、前記開口部を囲むとともに引掛シーリング１００の前面部に対向する器具２００の上面部と略同一形状であって、引掛シーリング１００への器具２００の取付位置を案内する指標を有する。前記取付位置は、例えば、前記平面方向（図１（Ａ）及び（Ｂ）における、手前−奥行方向、及び左右方向）の取付位置である。ガイド部３０を有することより、例えば、使用者は、器具２００の取付けにおいて、ガイド部３０の指標を参考にして、器具２００の位置合わせをすることができる。また、ガイド部３０の前記指標が、器具２００の上面部と略同一形状であることにより、例えば、取付け時に、使用者から見て器具２００の陰になる部分と前記陰にならない部分との境界を示すことができるため、前記位置合わせをしやすくできる。
【００２１】
本実施形態において、ガイド部３０の前記指標は、視覚的な表示である。前記視覚的な表示は、例えば、マークによる表示、並びに色分け等による領域の表示があげられる。前記マークは、特に制限されず、例えば、線である。なお、後述するように、ガイド部３０の前記指標は、その立体形状によるものでもよい。
【００２２】
図１（Ａ）及び（Ｂ）、並びに図２（Ａ）及び（Ｂ）は、ガイド部３０の前記指標が、線による表示である場合の一例を示す図である。使用者は、図２（Ａ）及び（Ｂ）に示すように、例えば、器具２００の前記上面部の形状とガイド部３０の前記表示とを一致させるようにして、器具２００を取り付けることができる。なお、図２（Ａ）及び（Ｂ）において、器具２００がアダプタである場合を例示しているが、これには制限されない。
【００２３】
ガイド部３０の前記指標は、図２（Ａ）に示すように、器具２００の上面部の形状の全部に対応する表示でもよいし、図２（Ｂ）に示すように、器具２００の上面部の形状の一部に対応する表示でもよい。後者の場合、図２（Ｂ）に示すように、例えば、３つのガイド部３０を設けることで、前記取付位置を示すことができる。
【００２４】
方向ガイド部４０は、引掛シーリング１００に取り付けるための器具２００の取付方向を案内する指標を有する。前記取付方向は、例えば、引掛シーリング１００に器具２００を嵌合させる際の、前記平面方向における器具２００の回転方向である。方向ガイド部４０を有することにより、例えば、使用者は、器具２００の取付けにおいて、方向ガイド部４０の指標を参考にして、器具２００の回転方向の位置合わせをすることができる。
【００２５】
本実施形態において、方向ガイド部４０の前記指標は、視覚的な表示である。前記視覚的な表示は、例えば、マークによる表示、並びに色分け等による領域の表示があげられる。前記マークは、特に制限されず、例えば、線、図、文字、及び記号等である。前記表示は、具体的には、例えば、器具２００の形状を示してもよいし、器具２００の特徴的な構造を示してもよいし、引掛シーリング１００の取付方向（長手方向、及び刃受部の配置方向等）を示してもよいし、予め、器具２００において方向ガイド部４０に対応させるための印をつけてもよい。前記特徴的な構造は、例えば、器具２００における光照射面側の構造でもよいし、引掛シーリング１００の前記設置面（天井）側の構造でもよい。器具２００がアダプタの場合、前記光照射面側の構造は、例えば、照明器具本体固定用爪、ロック解除レバー、ロック解除ボタン、アダプタスライド用つまみ、給電コネクタ、及びカバー取付ねじ等があげられ、前記設置面側の構造は、例えば、給電爪等があげられる。前記アダプタの前記特徴的な構造は、例えば、特開2007-227323号公報の記載を参照できる。なお、図２（Ａ）及び（Ｂ）において、前記ロック解除ボタン以外の構造の図示を省略している。方向ガイド部４０の前記指標が、前記設置面側の構造を示す場合、及び引掛シーリング１００の前記取付方向を示す場合、例えば、取付補助部材１の取付け前に、使用者が、前記給電爪等に合わせて、器具２００の前記光照射面側にシール等により印をつけ、前記印と方向ガイド部４０との方向を合わせるように取付けを行うようにしてもよい。なお、後述するように、方向ガイド部４０の前記指標は、その立体形状によるものでもよい。
【００２６】
方向ガイド部４０の前記指標は、例えば、引掛シーリング１００の一対の刃受部の中心点を端とし、器具２００に含まれる前記特徴的な構造等の取付位置を通る、前記平面方向における半直線状の仮想線上に設けることができる。前記指標は、例えば、前記仮想線上であってガイド部３０よりも外側に設けることができる。
【００２７】
図１（Ａ）及び（Ｂ）、並びに図２（Ａ）及び（Ｂ）は、方向ガイド部４０の前記指標が、アダプタである器具２００における前記ロック解除ボタン（図中の斜線部分）の配置されたくぼみの位置を示す線による表示である場合の一例を示す図である。使用者は、例えば、器具２００の前記くぼみの位置と方向ガイド部４０の前記表示の位置とを一致させるようにして、器具２００を取付けできる。
【００２８】
ガイド部３０と方向ガイド部４０とは、図１（Ａ）及び（Ｂ）、並びに図２（Ａ）及び（Ｂ）に示すように、別個に形成されてもよいし、１つの構成が、ガイド部３０と方向ガイド部４０とを兼ねてもよい。図３に、平面部５０における器具２００の形状を示す領域が、ガイド部３０と方向ガイド部４０とを兼ねる一例を示す。図３において、器具２００は、くぼみを有する形状をしている。そして、図中、斜線で示す領域が、ガイド部３０と方向ガイド部４０とを兼ねており、ガイド部３０として、器具２００の前記形状に対応する平面形状を有することにより前記取付位置を示し、方向ガイド部４０として、器具２００の前記くぼみに対応する平面形状を有することにより前記取付方向を示している。なお、図３において、器具２００が照明装置の部分構造である場合を例示している。このように、器具２００が照明器具である場合、器具２００は、例えば、前記照明器具の全体構造でもよいし、前記照明器具の部分構造でもよい。
【００２９】
平面部５０は、例えば、取付補助部材１における、係合部２０を含む面である。平面部５０は、例えば、器具２００の取付けにおいて、器具２００を前記平面方向に回転させる際、器具２００の引掛りが生じないようにする観点から、少なくとも器具２００と面する領域において、平面であることが好ましい。ただし、これには制限されない。
【００３０】
取付補助部材１は、外周部の一部において、例えば、図４に示すように、前記開口部に連通する切欠き（切込みともいう。）６０を有してもよい。これにより、例えば、取付補助部材１を取付け及び取外しやすくすることができる。切欠き６０の形状等は、特に制限されない。切欠き６０の幅は、例えば、図４に示すように、引掛シーリング１００の幅より狭い幅でもよいし、後述するように、引掛シーリング１００の幅以上でもよい。前者の場合、例えば、取付補助部材１の取付け及び取外しにおいて、例えば、使用者の手で切欠き６０を広げてもよいし、取付補助部材１の取外しにおいて、使用者が、切欠き６０を有する方向とは反対方向に取付補助部材１を引張ることで、切欠き６０が広がるようにしてもよい。
【００３１】
取付補助部材１は、外周部の他部において、例えば、図４に示すように、さらに、取付補助部材１を取外すための把持部７０を有してもよい。把持部７０の形状は、使用者が取付補助部材１を把持しやすければよく、特に制限されない。把持部７０の形状は、例えば、図４に示すように、本体部分から張り出した形状でもよいし、開口部及び凹部等でもよい。把持部７０は、例えば、器具２００の取付後、把持部７０が器具２００の本体よりも平面方向において外側に位置するように形成されることが好ましい。これにより、器具２００の取付け後においても、作業者が把持部７０を掴みやすいため、取付補助部材１を取外す際の作業性を向上できる。
【００３２】
取付補助部材１が、切欠き６０を有する場合、把持部７０は、例えば、図４に示すように、係合部２０を挟んで、切欠き６０の設けられた側とは反対側に設けられる。これにより、例えば、取付補助部材１を取外す際、使用者が、把持部７０を把持して、取付補助部材１を切欠き６０の設けられた側とは反対側に引っ張ることで、取付補助部材１を取外しやすくなる。
【００３３】
把持部７０は、例えば、図４に示すように、取付補助部材１を引掛シーリング１００の前記設置面に設置した状態において、前記設置面から離間している。これにより、例えば、使用者が前記離間した部分に指を挿入でき、把持しやすくなる。
【００３４】
取付補助部材１は、例えば、さらに、使用者への注意書を有してもよい。前記注意書は、例えば、設置面側（天井側）及び光照射面側の表示、取付手順、並びに取付補助部材１が切欠き６０を有する場合における、取外手順等の表示があげられる。
【００３５】
（実施形態２）
本実施形態の取付補助部材１は、図５（Ａ）、（Ｂ）及び（Ｃ）に示すように、ガイド部３０及び方向ガイド部４０の前記指標が、その立体形状によるものである以外は、実施形態１と同様である。本実施形態の取付補助部材１によっても、実施形態１と同様に、例えば、使用者は、器具２００の取付けにおいて、ガイド部３０及び方向ガイド部４０の指標を参考にして、器具２００の位置合わせ及び回転方向の位置合わせをすることができる。さらに、本実施形態の取付補助部材１によれば、例えば、視覚だけではなく、手の感覚によっても、前記指標を参考にすることができる。
【００３６】
ガイド部３０及び方向ガイド部４０の前記指標が、その立体形状によるものである場合、前記形状は、特に制限されず、例えば、凸状構造等があげられる。
【００３７】
図５（Ａ）は、ガイド部３０に設けられた前記指標が、器具２００の上面部の外周部の一部を包囲する溝状の凸状構造（以下、溝状構造ともいう。）である場合を示す一例である。ガイド部３０の前記指標が、前記構造であることにより、例えば、使用者は、器具２００の取付けにおいて、器具２００をガイド部３０の前記溝状構造に嵌めるようにして、器具２００の位置合わせをすることができる。
【００３８】
ガイド部３０の前記指標が、前記溝状構造である場合、例えば、前記溝状構造の厚みは、特に制限されず、例えば、取付補助部材１の形成材料等により適宜設定できる。前記厚みは、例えば、器具２００の給電爪の長さより大きく、且つ、器具２００の厚みよりも小さい厚みに設定できる。これにより、例えば、取付け時に、器具２００がガイド部３０の前記溝状構造から外れて嵌めにくくなることを防止でき、且つ、器具２００の回転、及び引掛シーリング１００への嵌合において、使用者の指を器具２００に配置可能な隙間を確保できる。また、例えば、取付け後に、器具２００にさらに照明器具等を取り付ける場合に、ガイド部３０の厚みが、前記取付けを妨げることを防止できる。
【００３９】
図５（Ｂ）及び（Ｃ）は、ガイド部３０に設けられた前記指標が、器具２００の上面部の一部に対向する凸状構造である場合を示す一例である。なお、図５（Ｃ）において、点線は、仮想線であり、器具２００の取付位置を示す。ガイド部３０が、前記構造であることにより、例えば、使用者は、器具２００の取付けにおいて、ガイド部３０と器具２００の端部とを合わせるようにして、器具２００の位置合わせをすることができる。
【００４０】
なお、本実施形態の取付補助部材１は、図５（Ａ）、（Ｂ）及び（Ｃ）に示すように、切欠き６０を有しており、方向ガイド部４０に設けられた前記指標が、切欠き６０と同一方向である。そして、切欠き６０が、方向ガイド部４０を兼ねる。切欠き６０が、方向ガイド部４０を兼ねることにより、例えば、取付補助部材１の構成をシンプルにすることができる。
【００４１】
（実施形態３）
本実施形態の取付補助部材１は、図６に示すように、ダンボールを重ねて形成されている。また、係合部２０において、引掛シーリング１００との係合部位が、線により示されている。これらの点以外は、実施形態１及び２と同様である。
【００４２】
取付補助部材１は、例えば、複数枚（図６の場合、３枚）のダンボール８０ａ、８０ｂ、８０ｃを重ねて形成してもよいし、１枚のダンボールを折曲げて形成してもよい。
【００４３】
取付補助部材１を、１枚のダンボールを折曲げて形成する場合、取付補助部材１は、例えば、ダンボール８０ａ、８０ｂ、８０ｃに対応する複数（図６の場合、３枚）のパネルを含む、１枚のダンボールから形成されるシートを用いて、構成できる。前記シートにおいて、例えば、前記複数のパネルは、それぞれ、開口部を有し、前記開口部は、前記シート材を折曲げることにより、係合部２０を形成可能であり、前記複数のパネルのうちの少なくとも１つは、ガイド部３０を有し、前記複数のパネルのうちの少なくとも１つは、方向ガイド部４０を有する。
【００４４】
前記複数のパネルの数は、特に制限されない。前記パネルの数は、例えば、係合部２０、及びガイド部３０等の、所望の前記設置面からの高さ、及び厚み等に基づき、適宜設定できる。
【００４５】
つぎに、図７に、本実施形態の取付補助部材１が、前記使用者への注意書を有する場合の一例を示す。図７に示すように、取付補助部材１は、前記光照射面（すなわち、器具２００の取付け時における、使用者が視認可能な面）側である平面部５０において、前記注意書として、前記取付手順、「こちらが器具（器具２００）側です。」、「器具（器具２００）取付後、このガイド（取付補助部材１）は必ず抜き取って下さい」が表示されている。そして、前記取付手順として、「（１）角型ローゼット（引掛シーリング１００）に下の穴（係合部２０）を合わせて取り付けてください。」、「（２）この円（ガイド部３０）内に器具（器具２００）を配置してください。」、「（３）器具（器具２００）を回転」、「（４）引き抜く」が表示され、前記（３）及び（４）において、さらに、器具２００の回転方向、及び把持部７０により取付補助部材１を引き抜く方向を示す矢印が表示されている。なお、図示していないが、前記設置面側には、例えば、「こちらが天井（前記設置面）側です。」と表示されている。
【００４６】
（実施形態４）
本実施形態の取付補助部材セットは、前記各実施形態の取付補助部材１を構成するための部品を含む。消費者は、例えば、前記部品を組合せて、取付補助部材１を構成できる。
【００４７】
前記取付補助部材セットに含まれる前記部品は、特に制限されず、前記取付補助部材セットは、例えば、ガイド部３０を有する第１の部品と、係合部２０及び方向ガイド部４０とを有する第２の部品とを含んでもよいし、係合部２０及びガイド部３０を有する第１の部品と、方向ガイド部４０を有する第２の部品とを含んでもよいし、係合部２０を有する第１の部品と、ガイド部３０及び方向ガイド部４０を有する第２の部品とを含んでもよいし、係合部２０を有する第１の部品と、ガイド部３０を有する第２の部品と、方向ガイド部４０を有する第３の部品とを含んでもよい。
【００４８】
（実施形態５）
本実施形態の器具の取付セットは、前記実施形態１から３の取付補助部材１又は前記実施形態４の取付補助部材セット、並びに器具２００を含む。
【００４９】
前記取付セットにおいて、例えば、取付補助部材１のガイド部３０及び方向ガイド部４０の前記指標は、それぞれ、前記取付セットに含まれる器具２００に対応する指標である。
【００５０】
以上、実施形態を参照して本発明を説明したが、本発明は、上記実施形態に限定されるものではない。本発明の構成や詳細には、本発明のスコープ内で当業者が理解しうる様々な変更をできる。
【産業上の利用可能性】
【００５１】
本発明によれば、引掛シーリングにアダプタ等を取り付ける際の、位置合わせを容易にすることができる。これにより、例えば、取付け時において給電爪が引掛シーリングに引っ掛りにくくなり、前記引掛りによる引掛シーリングの破損等を防止できる。
【００５２】
上記の実施形態の一部又は全部は、以下の付記のようにも記載しうるが、以下には限定されない。
（付記１）
配線器具に器具を取り付ける際に補助する取付補助部材であって、
前記配線器具を収容可能な開口部を有する係合部と、
前記開口部を囲むとともに前記配線器具の前面部に対向する前記器具の上面部と略同一形状であって、前記器具の取付位置を案内する指標を有するガイド部と、
前記配線器具に取り付けるための前記器具の取付方向を案内する指標を有する方向ガイド部と、
を備えたことを特徴とする取付補助部材。
（付記２）
前記係合部、前記ガイド部及び前記方向ガイド部が同一の平面部に設けられていることを特徴とする付記１記載の取付補助部材。
（付記３）
さらに前記配線器具の前面部が、前記係合部、前記ガイド部及び前記方向ガイド部が設けられた前記平面部と面一となることを特徴とする付記２記載の取付補助部材。
（付記４）
前記取付補助部材の外周部の一部には前記開口部に連通する切欠きが設けられ、前記外周部の他部には前記取付補助部材を取外すための把持部が設けられていることを特徴とする付記１から３のいずれかに記載の取付補助部材。
（付記５）
前記ガイド部及び前記方向ガイド部に設けられた指標が平面上のマークであることを特徴とする付記１から４のいずれかに記載の取付補助部材。
（付記６）
前記ガイド部に設けられた指標が少なくとも前記器具の上面部の外周部の一部を包囲する凸状構造であることを特徴とする付記１から５のいずれかに記載の取付補助部材。
（付記７）
前記方向ガイド部に設けられた指標が前記切欠きと同一方向であることを特徴とする付記４から６のいずれかに記載の取付補助部材。
（付記８）
前記方向ガイド部に設けられた指標が前記切欠きを兼ねることを特徴とする付記７記載の取付補助部材。
（付記９）
付記１から８のいずれかに記載の取付補助部材を構成するためのシートであって、
複数のパネルを含む１枚のシート材から形成され、
前記複数のパネルは、それぞれ、開口部を有し、
前記開口部は、前記シート材を折曲げることにより、前記係合部を形成可能であり、
前記複数のパネルのうちの少なくとも１つは、前記ガイド部を有し、
前記複数のパネルのうちの少なくとも１つは、前記方向ガイド部を有する、
ことを特徴とする配線器具に取り付ける器具の取付補助部材用シート。
（付記１０）
付記１から９のいずれかに記載の取付補助部材を構成するための部品を含むことを特徴とする取付補助部材セット。
（付記１１）
前記ガイド部を有する第１の部品と、前記係合部及び前記方向ガイド部とを有する第２の部品とを含むことを特徴とする付記１０記載の取付補助部材セット。
（付記１２）
付記１から９のいずれかに記載の取付補助部材、又は付記１０若しくは１１に記載の取付補助部材セット、並びに前記器具を含む、器具の取付セット。
【符号の説明】
【００５３】
１        取付補助部材
２０      係合部
３０      ガイド部
４０      方向ガイド部
５０      平面部
６０      切欠き
７０      把持部
１００    配線器具（引掛シーリング）
２００    器具
【図１】
2020061809.tif 000003
【図２】
2020061809.tif 000004
【図３】
2020061809.tif 000005
【図４】
2020061809.tif 000006
【図５】
2020061809.tif 000007
【図６】
2020061809.tif 000008
【図７】
2020061809.tif 000009